(57)【要約】【課題】原稿読取中の警告や中断は、読取画像の善し悪しをユーザに選択させ、必要に応じて再度の読取操作を行う必要があり、ユーザにとっては手間となっていた。【解決手段】原稿台に載置された原稿の画像を光学的に読取る画像読取装置において、次のような処理を行う。即ち、原稿台に載置された原稿の画像を読取りつつ、原稿台に対して開閉する原稿カバーの開閉の状態を検知し、前記原稿の読取から得られる画像データに基づいて、前記原稿の地肌濃度を算出する。そして、前記原稿の読取中に、前記検知により前記原稿カバーがオープンしたと判断された場合、前記算出される前記原稿の地肌濃度の変化に従って、前記画像データを補正する。【選択図】  図５
2017092778.tif 000002
【特許請求の範囲】
【請求項１】
原稿台に対して開閉する原稿カバーと、
前記原稿台に載置される原稿の画像を原稿の画像を読取る読取手段と、
前記原稿カバーの開閉の状態を検知する検知手段と、
前記読取手段による原稿の読取中に、前記検知手段により前記原稿カバーの開状態が検知された場合、該検知された後に前記読取手段によって読取られた画像データを補正する補正手段とを有することを特徴とする画像読取装置。
【請求項２】
前記補正手段は、前記原稿カバーの開状態が検知された後に前記読取手段によって読取られた画像データに対して、画像の濃度を補正することを特徴とする請求項１に記載の画像読取装置。
【請求項３】
前記読取手段によって取得される画像データに基づいて、前記原稿の地肌濃度を算出する算出手段をさらに有し、
前記補正手段は、前記原稿カバーの開状態が検知される前に前記算出手段によって算出される地肌濃度に基づいて、前記原稿カバーの開状態が検知された後の前記画像データに対して画像の濃度を補正することを特徴とする請求項１又は２に記載の画像読取装置。
【請求項４】
前記読取手段による原稿の読取り中に前記検知手段によって前記原稿カバーの開状態が検知された場合、前記算出手段により算出される前記原稿カバーが閉状態である場合の前記原稿の第１の地肌濃度と、前記原稿カバーが開状態である場合の前記原稿の第２の地肌濃度とを比較する比較手段をさらに有し、
前記補正手段は、前記比較手段の比較の結果から、前記第１の地肌濃度と前記第２の地肌濃度とに変化がある場合に、前記原稿カバーの開状態が検知された後の前記画像データに対して画像の濃度を補正することを特徴とする請求項３に記載の画像読取装置。
【請求項５】
前記読取手段は、第１の方向に移動しながら前記原稿台に載置された原稿の画像を読取り、
前記算出手段は、
前記読取手段が前記第１の方向と直交する第２の方向に配置された複数の読取素子により取得される１ラインごとの画像データに関し、１画素ごとに該画素の値が予め定められた閾値と比較する第１の比較手段と、
前記第１の比較手段による比較の結果に基づいて、前記原稿の地肌と判定された画素の値を累積する累積手段とを含み、
１ラインにわたって累積された累積値から当該１ラインの地肌濃度を算出することを特徴とする請求項３又は４に記載の画像読取装置。
【請求項６】
前記原稿カバーがオープンしたかどうかの判断は、前記取得される１ラインごとの画像データに対して行うことを特徴とする請求項５に記載の画像読取装置。
【請求項７】
前記原稿の地肌濃度の算出は、前記原稿の画像が文字画像である場合に実行することを特徴とする請求項５又は６に記載の画像読取装置。
【請求項８】
前記算出手段による算出と前記補正手段による補正は、前記原稿台の読取領域のすべてに対して前記読取手段による前記原稿の読取中に行われることを特徴とする請求項３乃至７のいずれか１項に記載の画像読取装置。
【請求項９】
前記算出手段による算出と前記補正手段による補正は、前記原稿台の読取領域を前記第１の方向に複数の領域に分割して、前記読取手段は該分割された領域ごとに前記原稿の読取中に行われることを特徴とする請求項５乃至７のいずれか１項に記載の画像読取装置。
【請求項１０】
前記検知手段によって前記原稿カバーの開状態が検知された場合、前記原稿台の上の原稿が移動していないことを判定する判定手段をさらに有し、
前記補正手段は、前記判定手段によって前記原稿台の上の原稿が移動していないと判定される場合に前記画像の濃度を補正することを特徴とする請求項１乃至９のいずれか１項に記載の画像読取装置。
【請求項１１】
前記読取手段は、前記検知手段により前記原稿カバーの開状態が検知された場合、前記原稿台の上の原稿の読取りを継続することを特徴とする請求項１乃至１０のいずれか１項に記載の画像読取装置。
【請求項１２】
請求項１乃至１１のいずれか１項に記載の画像読取装置と、
前記画像読取装置により原稿の画像を読取ることにより生成された画像データ、又は、外部より供給された画像データに基づいて、記録媒体に画像を形成する画像形成装置とを有することを特徴とする複写装置。
【請求項１３】
画像読取装置の読取方法であって、
原稿台に載置された原稿の画像を読取る読取工程と、
前記原稿台に対して開閉する原稿カバーの開閉の状態を検知する検知工程と、
前記読取工程における原稿の読取中に、前記検知工程において前記原稿カバーの開状態が検知された場合、該検知の後に前記読取工程において読取られた画像データを補正する補正工程とを有することを特徴とする読取方法。
【発明の詳細な説明】
【技術分野】
【０００１】
本発明は画像読取装置、複写装置、及びその読取方法に関し、特に、例えば、光学的に原稿の画像を読取る画像読取装置、複写装置、及びその読取方法に関する。
【背景技術】
【０００２】
従来の光学的に原稿の画像を読取る画像読取装置（スキャナ装置）には、原稿を載置する原稿台ガラスを覆う開閉自在な原稿カバーが備えられている。そして、その画像読取装置で原稿の画像を読取る場合、原稿カバーを閉じて原稿を固定し、スタートボタンなどを押下して、原稿画像の読取りを行う。
【０００３】
さて、原稿からの画像読取中に原稿カバーを開けた場合、原稿を照射している光がその原稿を透過することによって、原稿による反射光が減少し、原稿の読取りにより得られた画像が暗くなる可能性がある。これを防止するために、例えば、特許文献１では、原稿からの画像読取中に原稿カバーの開状態を検出した場合、ユーザに警告を通知する構成を提案している。
【０００４】
更に、特許文献２では、画像読取中に圧板オープンを検知した場合、その画像読取を中断して読取りにより取得した画像データを消去し、読取センサを搭載したキャリッジを初期位置へ戻す構成を提案している。
【先行技術文献】
【特許文献】
【０００５】
【特許文献１】特開２００７−３００３８５号公報
【特許文献２】特許第４０９００１１号公報
【発明の概要】
【発明が解決しようとする課題】
【０００６】
しかしながら上記従来例では、原稿読取中に原稿カバーが開かれた場合、必ずしもユーザにとって操作性が良いとは言えなかった。
【０００７】
本発明は上記従来例に鑑みてなされたもので、原稿読取中に原稿カバーが開かれた場合でもユーザの操作性を向上させることができる画像読取装置、複写装置、及びその読取方法を提供することを目的としている。
【課題を解決するための手段】
【０００８】
上記目的を達成するために本発明の画像読取装置は次のような構成からなる。
【０００９】
即ち、原稿台に対して開閉する原稿カバーと、前記原稿台に載置される原稿の画像を原稿の画像を読取る読取手段と、前記原稿カバーの開閉の状態を検知する検知手段と、前記読取手段による原稿の読取中に、前記検知手段により前記原稿カバーの開状態が検知された場合、該検知された後に前記読取手段によって読取られた画像データを補正する補正手段とを有することを特徴とする。
【００１０】
また、本発明を別の側面から見れば、上記構成の画像読取装置と、前記画像読取装置により原稿の画像を読取ることにより生成された画像データ、又は、外部より供給された画像データに基づいて、記録媒体に画像を形成する画像形成装置とを有することを特徴とする複写装置を備える。
【００１１】
さらに本発明を別の側面から見れば、画像読取装置の読取方法であって、原稿台に載置された原稿の画像を読取る読取工程と、前記原稿台に対して開閉する原稿カバーの開閉の状態を検知する検知工程と、前記読取工程における原稿の読取中に、前記検知工程において前記原稿カバーの開状態が検知された場合、該検知の後に前記読取工程において読取られた画像データを補正する補正工程とを有することを特徴とする読取方法を備える。
【発明の効果】
【００１２】
従って本発明によれば、原稿の画像読取中に、例えば、原稿カバーが開かれたとしてもユーザの手を煩わすことなく高品位な画像読取ができるという効果がある。
【図面の簡単な説明】
【００１３】
【図１】本発明の代表的な実施例である原稿の画像を複写する複写装置の構成を示す側断面図である。
【図２】図１に示す複写装置の概観を示す斜視図である。
【図３】図１に示した複写装置に備えられた画像読取装置の原稿搬送方向に沿った構造を示す側断面図である。
【図４】図１〜図３に示した複写装置１００の制御構成を示すブロック図である。
【図５】圧板オープンによる濃度異常の検出と補正の処理を示すフローチャートである。
【図６】地肌濃度を検出処理の詳細を示すフローチャートである。
【発明を実施するための形態】
【００１４】
以下添付図面を参照して本発明の好適な実施例について、さらに具体的かつ詳細に説明する。
【００１５】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１６】
また、「記録媒体」とは、一般的な記録装置で用いられる紙のみならず、広く、布、プラスチック・フィルム、金属板、ガラス、セラミックス、木材、皮革等も含む。
【００１７】
＜複写装置の概要（図１〜図４）＞
図１は本発明の代表的な実施例である光学的に原稿の画像を読取り、電子写真方式に従って画像を形成する複写装置の構成を示す側断面図である。
【００１８】
図１に示すように、複写装置１００は、装置本体１０１と、装置本体１０１の上部に設けられた画像読取装置（スキャナ）１０３と、画像読取装置１０３の上部に設けられた開閉自在の自動原稿供給装置（ＡＤＦ）１２６とを含む。
【００１９】
自動原稿供給装置１２６は、原稿載置台１０６に置かれた、例えば、シート原稿Ｄのような記録媒体を１枚ずつ分離して画像読取装置１０３に供給する。画像読取装置１０３は、自動原稿供給装置１２６によって流し読みガラス１０９上に給送されるシート原稿Ｄをライン型イメージセンサユニット（以下、イメージセンサ）１０８で光学的に読取る。また、画像読取装置１０３は、原稿台ガラス１０７に置かれた、例えば、シート原稿Ｄ或いはブック原稿のような記録媒体をイメージセンサ１０８を紙面の左側から右側の方向（副走査方向）に移動させながら光学的に読み取る。なお、主走査方向は、副走査方向に対して直交する方向（紙面に垂直な方向）であり、イメージセンサ１０８の読取素子が配列された方向（ライン方向）に対応する。自動原稿供給装置１２６は、ＡＤＦ分離部１１５、排紙搬送部１１６、原稿排紙部１１７、ブック原稿を押圧する原稿押え板１１８、シート原稿搬送部１２１を含む。
【００２０】
装置本体１０１は、画像読取装置１０３で記録媒体の画像を読取ることにより得られた画像データに基づいてシート状の記録媒体（例えば、カット用紙）に画像を形成することができる。画像読取装置１０３は、画像を読み取って生成された画像データを装置本体１０１に組み込まれた画像形成装置１０４に転送する。
【００２１】
画像形成装置１０４は、電子写真方式に従って画像を形成するプリンタエンジンを備えている。
【００２２】
図２は図１に示した複写装置１００の概観斜視図である。なお、図２に付された参照番号は図１で示した構成要素と同じものを示している。従って、ここでは重複して同じ構成要素について説明することは省略する。
【００２３】
図２に示されるように、操作部１０５は、表示部、入力キー等を備えており、ユーザによる複写装置１００の操作を受付け、また、複写装置１００の状態や処理進行状況等を表示することができる。
【００２４】
また、自動原稿供給装置１２６は回転軸１０２ａを中心にして矢印Ａ方向に回転して、原稿台ガラス１０７を開閉することができる。さらに、矢印Ｂは上述した主走査方向に対応する方向を示すが、矢印Ｂ方向の画像原稿の幅に合わせて矢印Ｂの方向に原稿ストッパ対１０６ａがスライド可能である。さらに、原稿載置台１０６には原稿検知センサ１０６ｂが設けられ、原稿が載置されると、その突起部が押し下げられて、原稿の存在を複写装置１００に伝えることができる。図２と図１から分かるように、原稿押え板（圧板）１１８は原稿カバー１０２の下部に設けられる。
【００２５】
図１に戻って説明を続けると、装置本体１０１は、レーザドライバユニット１１０、画像形成部１１１、カセット給紙部１１２を備える。また、画像形成装置１０４の上部にシートＰを複数枚積載可能なように構成されたシート排紙部１１３を備え、画像形成装置１０４の側面にはカートリッジカバー部１１４を備える。また、画像読取装置１０３と画像形成装置１０４とは接合部１１９により接合される。
【００２６】
さらに、装置本体１０１は、ファクシミリ機能を実現する制御部１２０、両面搬送部カバー１２２、搬送方向切換部１２３、レジスト搬送部１２４を含む。またさらに、装置本体１０１は、画像形成装置１０４の内部に配置されたＭＰ（マルチペーパ）給紙部１２５と両面搬送部１５０とを含む。
【００２７】
図３は図１に示した複写装置１００に備えられた画像読取装置１０３の原稿搬送方向に沿った構造を示す側断面図である。なお、図３に付された参照番号は図１や図２で示した構成要素と同じものを示している。従って、ここでは重複して同じ構成要素について説明することは省略する。
【００２８】
図３に示すように、シート原稿搬送部１２１には、原稿給送センサ１２１ｈと原稿端センサ１２１ｉが設けられている。原稿給送センサ１２１ｈは、ＡＤＦ分離部１１５からシート原稿Ｄが繰り出されたか否かや、シート原稿Ｄの後端の通過を検知する。また、原稿端センサ１２１ｉは、シート原稿Ｄの先端及び後端の通過を検知する。原稿給送センサ１２１ｈや原稿端センサ１２１ｉからの検知信号は、画像読取処理のタイミング制御に使用される。
【００２９】
ユーザは、画像読取の対象の原稿を原稿載置台１０６に置く。ユーザが画像読取の開始を操作部１０５を介して指示すると、ピックアップローラ１１５ａが回転させながら下降し、分離ローラ１１５ｂと分離パッド１１５ｃとで、原稿を１枚ずつ分離して内部へと給送する。給送ローラ１２１ａ、１２１ｂ、１２１ｃは、読取位置まで原稿を搬送する。原稿が読取位置の上に位置する読取ガラス（プラテンガラス）１０９ａ上を通過する時に、読取ガラス１０９ａの下側からイメージセンサ１０８が光を照射し、その反射光をイメージセンサ１０８が受光することで画像読取を実行する。
【００３０】
排紙・反転ローラ１１７ａ及び１１７ｂは、原稿の両面を読取る場合に、原稿を反転させてフラッパ（不図示）を介して再度、原稿読取位置まで搬送する。画像読取の終了した原稿は、排紙トレイ１１７ｃに排出される。搬送路１２１ｄ、１２１ｅには、搬送路中の記録媒体（読取原稿）の有無を検出するためのセンサ１１５ｄなどが適宜配置される。また、読取ガラス１０９ａの側には基準白色板１０９ｃが配置される。
【００３１】
図４は図１〜図３に示した複写装置１００の制御構成を示すブロック図である。
【００３２】
図４では特に、画像読取装置１０３により原稿の画像を読取ることにより得られた画像データを処理する画像処理に関係する構成要素を示している。
【００３３】
なお、画像読取装置１０３のイメージセンサ１０８はＣＩＳ方式により画像を読取る構成としているが、本発明はこれによって限定されるものではなく、ＣＣＤ方式により画像を読取る構成を備えたイメージセンサであっても良い。
【００３４】
ＣＰＵ２４は、データバス及びシステムバス（以下、バス）１０を介して画像読取装置１０３全体を統括的に制御する。イメージセンサ１０８の読取部４０から出力されたアナログ画像信号は読取部４０の内部の増幅器によって増幅され、Ａ／Ｄ変換器によってデジタル信号に変換される。変換されたデジタル信号は１画素を８ビットで表現する画像データとなる。この場合、デジタル値は黒色を“０”、白色を“２５５”として表現し、０から２５５の２５６段階の輝度データ（濃度）となる。この画像データはバス１０を介して、画像メモリ５１に保存される。
【００３５】
画像処理部４１は、画像メモリ５１に記憶された画像データに対して補正処理を施す。画像処理部４１により補正処理が施された画像データは、バス１０を介して、画像データ生成部４３へ出力される。画像データ生成部４３は、入力された画像データを主走査方向の１ラインずつの画像データへと編集して記録媒体１ページ分の画像データを生成する。そして、その生成した１ページ分の画像データから、必要な画像サイズ（原稿画像領域）分のデータを生成する。画像データ生成部４３で生成された画像データは画像形成部１１１に出力されるか、あるいは外部のホスト装置等に通信インタフェース（ＩＦ）４２を介して送信されて画像として再生（表示等）される。
【００３６】
画像検出部４５は、画像メモリ５１に記憶された画像データに対して、エッジ検出などの画像特徴の検出処理を実行する。
【００３７】
画像読取装置１０３の操作部１０５は、画像読取装置１０３の状態表示や、複写装置１００全体の動作状態の表示を行なう。また、操作部１０５は、ユーザから、読取命令の入力を受付ける。開閉センサ３８は、自動原稿供給装置１２６の開閉を検知する。
【００３８】
他にＲＯＭ１２やＲＡＭ２７等がバス１０に接続される。ＲＯＭ１２には以下に説明する動作を実現するための制御プログラム等が記憶されており、ＲＡＭ２７は、例えば、ＣＰＵ２４の作業領域として用いられる。
【００３９】
次に以上の構成の複写装置、特に、その画像読取装置が実行する画像読取処理について説明する。以下に、圧板オープンにより生じる読取画像の濃度異常の補正処理について説明する。
【００４０】
＜圧板オープンによる濃度異常の補正方法について＞
図５は原稿台ガラス１０７に載置されたシート原稿Ｄをイメージセンサ１０８を副走査方向に移動させながら光学的に読取る圧板スキャンモードにおいてＡＤＦ１２６の開閉を検知した場合の濃度異常の検出及び画像補正処理を示すフローチャートである。なお、図５に示す処理は、例えば、ＣＰＵ２４がＲＯＭ１２に格納された制御プログラムをＲＡＭ２７に読出して実行することにより実現される。
【００４１】
まず、ユーザにより原稿台ガラス１０７上にシート原稿Ｄを載置し操作部１０５を操作してコピーボタンを押下する。これに応じて、ステップＳ１０１では画像読取装置１０３による圧板スキャンが開始され、ステップＳ１０２では、イメージセンサ１０８を基準白色板１０９ｃへ移動させて画像を読取り、白色の基準レベルを調整するシェーディングなどの初期化処理を実行する。このようにしてイメージセンサ１０８の調整処理を完了するとステップＳ１０３では、圧板スキャンモードでイメージセンサ１０８を読取開始位置（Ｓｘ）へ移動し、主走査方向に１ライン分の画像を読取って画像メモリ５１へ格納する。その後、ステップＳ１０３〜Ｓ１１０ではイメージセンサ１０８が原稿の読取終了位置へ到達するまで、イメージセンサ１０８を副走査方向に１画素分ずつ移動させながら繰り返し、主走査方向に１ラインずつ画像を読取る。
【００４２】
即ち、ステップＳ１０３では主走査方向に１ライン分の画像を読取ると、ステップＳ１０４では、読取ったライン（ｘライン目）の画像の地肌濃度（Ｂｇ＿ｘ）を検出する。なお、地肌濃度の検出方法については図６を参照して後述する。さらに、ステップＳ１０５では主走査方向に１ライン分の画像を読取るたびに、開閉センサ３８によってＡＤＦ１２６の開閉状態を検知し、オープンしていたかどうかを調べる。ここで、圧板オープン（即ち、ＡＤＦオープン）を検知しなかったと判断された場合、処理はステップＳ１０６に進み、“圧板クローズ時の地肌濃度（Ｂｇ１）”に地肌濃度（Ｂｇ＿ｘ）を加算し、平均化してその値（Ｂｇ１）”を更新する。その後、処理はステップＳ１１０に進む。
【００４３】
これに対して、圧板オープン（即ち、ＡＤＦオープン）を検知したと判断された場合、処理はステップＳ１０７に進み、“圧板オープン時の地肌濃度（Ｂｇ２）”に検出した地肌濃度（Ｂｇ＿ｘ）を加算し、平均化してその値（Ｂｇ２）を更新する。その後、処理はステップＳ１０８では、圧板クローズ時の地肌濃度（Ｂｇ１）と比較して、地肌濃度が変化したかどうかを調べる。その結果、地肌濃度の変化があったと判定された場合（Ｂｇ１≠Ｂｇ２）、処理はステップＳ１０９に進み、読取った主走査方向の１ライン分の画像の濃度補正を実行する。この濃度補正では、読取った副走査方向にｘライン目の読取り画像Ｌｘに、圧板クローズ時の地肌濃度Ｂｇ１を乗じ、圧板オープン時の地肌濃度Ｂｇ２を除することで、圧板オープン時の画像を補正する。その後、処理はステップＳ１１０に進む。これに対して、地肌濃度の変化がないと判定された場合（Ｂｇ１＝Ｂｇ２）、処理はステップＳ１１０に進む。
【００４４】
ステップＳ１１０では、イメージセンサ１０８が原稿の読取終了位置に到達したかどうかを調べ、到達していない場合には、処理はステップＳ１０３に進み、到達した場合は処理はステップ終了する。
【００４５】
＜地肌レベル検出処理の詳細について＞
ここで、地肌レベル検出処理の詳細（図５のステップＳ１０４）について説明する。
【００４６】
図６は地肌レベル検出処理の詳細を示すフローチャートである。この実施例では、読取った主走査方向の１ライン分の画像が文字領域であると判定された場合に、シート原稿Ｄの地肌の色（記録媒体の色）を取得するための地肌レベル検出処理を実行する。なお、画像種別の判定は、原稿のプレスキャンにより実行しても良いし、操作部１０５からユーザが画像の種別を入力しても良いが、いずれにしても、これらの種別判定は公知なので、その説明は省略する。
【００４７】
文字画像は記録媒体の地肌の色がかなりの部分にわたって露出しており、その原稿を光学的に読取った場合、イメージセンサ１０８から原稿に照射して得られる反射光に地肌の部分の反射がかなりの程度、反映される。そのため、ＡＤＦ１２６がオープンした場合、その反射光の変化に地肌部分の寄与が大きく反映される。従って、文字画像原稿の読取りによって得られる画像データから地肌濃度の変化を推定することができる。
【００４８】
まず、ステップＳ３０１では、ＣＰＵ２４は読取った主走査方向の１ライン分の画像に対応する画像データから、所定画素（ｍ）を処理の対象領域として取得する。
【００４９】
次に、ステップＳ３０２では、ＣＰＵ２４は、対象領域に含まれる画素の値（輝度値）が地肌レベル閾値以上（Ｉ（ｙ）≧ＢｇＴｈｒ）であるか否かを調べる。ここで、対象領域に含まれる画素の値が地肌レベル閾値以上（Ｉ（ｙ）≧ＢｇＴｈｒ）であると判定された場合には、処理はステップＳ３０３に進む。これに対して、地肌レベル閾値未満（Ｉ（ｙ）＜Ｂｇ）であり、その画素は文字であると判定された場合には、処理はステップＳ３０４に進む。つまり、ステップＳ３０２では、文字画像の所定画素（ｍ）領域について、１画素ずつ、文字であるか、又は、シート原稿色であるかを判定している。
【００５０】
ステップＳ３０３では、その画素の値を１ライン分の画像に対応する画像データおける画素値の累積値に加算して累積する。そして、ステップＳ３０２で地肌レベル閾値以上であると判定された画素の数を累積値とともにＲＡＭ２７に格納している。以下、説明のために、累積値をＳｂｇとし、地肌レベル閾値以上であると判定された画素の数をｎとする。
【００５１】
次に、ステップＳ３０４では、ＣＰＵ２４は所定画素（ｍ）分の算出が完了したかどうかを調べる。ここで、その算出が完了していないと判定された場合には、処理はステップＳ３０５に進み、対象画素の座標（ｙ）を主走査方向に沿って「１」進める。その後、処理はステップＳ３０２に戻り、ステップＳ３０２からの処理を繰り返す。これに対して、所定画素（ｍ）分の算出が完了したと判定された場合、処理はステップＳ３０６に戻り、ＣＰＵ２４は、累積値（Ｓｂｇ）を画素の数ｎで除して画素数分の平均値を算出することにより、シート原稿Ｄの地肌色輝度値（地肌レベル）Ｂｇを取得する。
【００５２】
その後、ＣＰＵ２４は、シート原稿Ｄの地肌色の輝度値（Ｂｇ）をＲＡＭ２７に記憶し地肌レベル算出処理を終了する。
【００５３】
従って以上説明した実施例に従えば、原稿読取中の圧板オープンにより原稿による反射光が減少し読取画像が暗くなった場合も、原稿読取により得られた画像データを自動的に補正することができる。これにより、画像読取を中断させずに高品位な画像読取を実現すると共に原稿の再読取などユーザの操作性を向上させることができる。
【００５４】
なお、以上説明した実施例では、通常の圧板スキャンモードによる画像読取について説明したが本発明はこれにより限定されるものではない。例えば、イメージセンサの移動方向に画像読取領域を所定の領域づつ複数に分割してスキャンする分割スキャンモードにおいて、分割領域毎に読取画像の濃度異常を検出し補正しても良い。
【００５５】
また、上述した実施例では、画像の濃度補正を実行することで、圧板オープンによって反射光が減少し読取画像が暗くなった場合の画像データの補正を行う動作について説明をしたが本発明はこれによって限定されるものではない。例えば、圧板オープンによって画像の色味が変化する場合等は色味の補正をすることで画像読取を継続しながら高品位な画像データを出力するものとしても良いし、圧板オープンによって文字画像等がぼやける場合はエッジ強調等の補正を行っても良い。また、その他の補正を行うことで圧板がオープンされた場合に画像読取を継続できる構成としても良い。
【００５６】
また、上述した実施例では、画像読取装置（スキャナ装置）と画像形成装置（ＬＢＰ）が一体化した複写装置を例として説明したが本発明はこれによって限定されるものではない。本発明は、例えば、説明した画像形成装置に記録用紙を自動給紙するＡＤＦ部と画像読取装置とを備える単機能スキャナ装置としても良いし、さらに複写機にファクシミリ機能を加えた複合機としても良い。
【符号の説明】
【００５７】
１０  システムバス、１２  ＲＯＭ、２４  ＣＰＵ、２７  ＲＡＭ、３８  開閉センサ、
４０  読取部、４１  画像処理部、４２  通信ＩＦ、４３  画像データ生成部、
４５  画像検出部、５１  画像メモリ、１０５  操作部、１１１  画像形成部
【図１】
2017092778.tif 000003
【図２】
2017092778.tif 000004
【図３】
2017092778.tif 000005
【図４】
2017092778.tif 000006
【図５】
2017092778.tif 000007
【図６】
2017092778.tif 000008